(57)【特許請求の範囲】
【請求項１】
防火用シ−トシャッタ−のシ−トの下端側に避難用開口部を設け、該シートの下端には座板が設けてあると共に、該シ−トには該避難用開口部を覆うように扉スクリ−ンを開閉可能に設け、該扉スクリーンの側部の一端側及び上端側は該シートに固着されていると共に、下端縁は該座板に固着されていない自由端であり、該扉スクリ−ンには幅方向に延出するばね材が設けてあり、該扉スクリ−ンを開放した後には該扉スクリ−ンが該ばね材のばね力で避難用開口部閉塞位置に自動的に復帰して、開口や隙間が生ずることを防止するようにしたことを特徴とする防火用シ−トシャッタ−のシ−トの構造。
【請求項２】
防火用シ−トシャッタ−のシ−トの下端側に避難用開口部を設け、該シ−トには該避難用開口部を覆うように扉スクリ−ンを開閉可能に設け、該扉スクリ−ンには金網部材が張設してあり、該扉スクリ−ンを開放した後には該扉スクリ−ンが自重で避難用開口部閉塞位置に復帰するようにしたことを特徴とする防火用シ−トシャッタ−のシ−トの構造。
【請求項３】
該ばね材は該扉スクリ−ンの高さ方向に複数並設してあることを特徴とする請求項１に記載のシ−トの構造。
【請求項４】
該ばね材は該扉スクリ−ンの一端側の側部からさらにシ−トにかけて延出していることを特徴とする請求項１、３いずれかに記載の防火用シ−トシャッタ−のシ−トの構造。
【請求項５】
該ばね材の一の端部は一のガイドレ−ルの溝内にまで延出していることを特徴とする請求項１、３、４いずれかに記載の防火用シ−トシャッタ−のシ−トの構造。
【請求項６】
該扉スクリーンの側部の一端側はシートに固着されていることを特徴とする請求項２乃至５いずれかに記載のシートの構造。
【請求項７】
該扉スクリーンの上端側をシートに固着したことを特徴とする請求項２乃至６いずれかに記載のシートの構造。
【請求項８】
該避難用開口部は一方のガイドレ−ルに近接して設けてあり、該扉スクリ−ンの一端側の側部は該ガイドレ−ル内に臨んでいると共に、該扉スクリ−ンの該ガイドレ−ル溝内に位置する部位には抜け止め部材を設けたことを特徴とする請求項１乃至７いずれかに記載の防火用シ−トシャッタ−のシ−トの構造。
【請求項９】
該扉スクリ−ンの周端縁は、該シ−トに固着されている部位および下端部を除いては該シ−トと重合しており、該重合部において該シ−トと該扉スクリ−ンとを着脱自在に磁着するようにしたことを特徴とする請求項１乃至８いずれかに記載の防火用シ−トシャッタ−のシ−トの構造。
【請求項１０】
該扉スクリ−ンの周端縁は、該シ−トに固着されている部位および下端部を除いては該シ−トの開口部周縁部と重合しており、該重合部において該シ−トと該扉スクリ−ンとをテ−プ状のファスナ−部材によって着脱自在に装着するようにしたことを特徴とする請求項１乃至８いずれかに記載の防火用シ−トシャッタ−のシ−トの構造。
【請求項１１】
該扉スクリ−ンの下端縁には磁石を設け、該扉スクリ−ンの下端縁が該シ−ト下端に設けた座板に着脱自在に磁着するようにしたことを特徴とする請求項１乃至１０いずれかに記載の防火用シ−トシャッタ−のシ−トの構造。
【発明の詳細な説明】
【０００１】
【発明の属する技術分野】
本発明は、防火用シ−トシャッタ−のシ−トの構造に関するものである。
【０００２】
【従来の技術】
最近、鋼製の防火シャッタ−に代えて、シリカ繊維等の不燃性シ−トを用いたシ−トシャッタ−を防火シャッタ−として採用しようとする試みがなされている。ところで、防火シャッタ−においては避難用の開口部を設けることが必要であり、避難用の開口部を設けるに際して重要なことは、避難時の開口部の開閉後に、防火・防煙上不利となる開口や隙間を作らないようにすることである。
【０００３】
防火シ−トシャッタ−における避難用開口部としては、例えば、防火シ−トシャッタ−のシャッタ−カ−テンにスリット状の開口部を設け、開口部を設けた部位を片側から補助スクリ−ンで覆う二重構造が提案されている。しかしながら、このようなものでは、補助スクリ−ンが可撓性のシ−トから形成されているため、スリットから避難する際に、補助スクリ−ンがスリットにひっかかったりして、火災側と非火災側との間に貫通開口が生じてしまう畏れがあった。
【０００４】
【発明が解決しようとする課題】
本発明は、かかる不具合を解消するべく創案されたものであって、避難者がシ−トに設けた開口部を通過した後においても、かかる開口部を良好に閉塞できるような防火用シ−トシャッタ−のシ−トの構造を提供することを目的とするものである。
【０００５】
【課題を解決するための手段】
上記課題を解決するために本発明が採用した技術手段は、防火用シ−トシャッタ−のシ−トの下端側に避難用開口部を設け、該シートの下端には座板が設けてあると共に、該シ−トには該避難用開口部を覆うように扉スクリ−ンを開閉可能に設け、該扉スクリーンの側部の一端側及び上端側は該シートに固着されていると共に、下端縁は該座板に固着されていない自由端であり、該扉スクリ−ンには幅方向に延出するばね材が設けてあり、該扉スクリ−ンを開放した後には該扉スクリ−ンが該ばね材のばね力で避難用開口部閉塞位置に自動的に復帰して、開口や隙間が生ずることを防止するようにしたことを特徴とするものである。
【０００６】
好ましくは、該ばね材は線状のばね材あるいは薄肉状の長尺板状のばね材であり、扉スクリ−ンの高さ方向に平行して略水平状に複数配設するのがよい。もっとも、例えば幅広の一枚の長尺板材からなるばね材を扉スクリ−ンの下端部位に延出させて設けてもよい。扉スクリ−ンは該扉スクリ−ンの側部の一端側においてシ−トに固着してもよく、この場合、該ばね材は該スクリ−ンの側部の一端側から該シ−トにかけて延出するように配設するのがよい。さらに好ましくは、ばね材の一の端部を一のガイドレ−ルの溝内にまで延出させるのがよく、こうすることで、扉スクリ−ンの開放後に、より良好に扉スクリ−ンを復帰させることができると考えられる。もっとも、ばね材のシ−トにおける延出寸法を十分に取ることができる場合には、必ずしもばね材の端部をガイドレ−ルの溝内に延出させる必要はない。
【０００７】
該避難用開口部を一方のガイドレ−ルに近接して設けた場合には、該扉スクリ−ンの側部の一端側を該ガイドレ−ル内に臨ませると共に、該扉スクリ−ンの該ガイド内に位置する部位には抜け止め部材を設けるようにしてもよい。抜け止め部材は例えば、ガイド溝内を上下動できる大きさであると共に、ガイド溝の開口幅よりも大きい径を有する球状部材である。
【０００８】
該扉スクリ−ンの周端縁は、該シ−トに固着されている部位および下端部を除いては該シ−トと重合しており、該重合部は着脱自在に連結されていることが好ましい。すなわち、避難時には簡単に重合部を分離することができると共に、常時は重合部が密着することで火災側と非火災側とに連通孔を形成しないようにする。このような着脱自在の手段としては、例えば、磁石を用いたもの、あるいはテ−プ状のファスナ−（マジックテ−プ）を用いたものが挙げられる。さらに、該扉スクリ−ンの下端部には磁石を設け、該スクリ−ンの下端部が該シ−ト下端に設けた座板に着脱自在に磁着できるようにするのがよい。
【０００９】
本発明が採用した他の技術手段は、防火用シ−トシャッタ−のシ−トの下端側に避難用開口部を設け、該シ−トには該避難用開口部を覆うように扉スクリ−ンを開閉可能に設け、該扉スクリ−ンには金網部材が張設してあり、該扉スクリ−ンを開放した後には該扉スクリ−ンが自重で避難用開口部閉塞位置に復帰するようにしたことを特徴とするものである。このものでは、扉スクリ−ンが所定の重量を有する可撓性部材から構成されることになる。
【００１０】
【発明の実施の形態】
図１は、防火シ−トシャッタ−の基本構成およびシャッタ−カ−テンを構成するシ−トに対する扉スクリ−ンの装着手段を示す概略図である。建物内の所定部位の天井内には、巻取シャフト１を内装したシャッタ−ケ−ス２が装着されており、巻取シャフト１にはシャッタ−カ−テンを構成する可撓性シ−ト３が巻装されている。シャッタ−ケ−ス２の下方にはまぐさ部４が設けてあると共に、左右の壁体５、５には、シ−ト３が降下する部位に位置してシ−ト３の左右両端部を案内するガイドレ−ル６ａ、６ｂが立設してある。
【００１１】
常時は、シ−ト３は巻取シャフト１に巻装された状態でシャッタ−ケ−ス２内に内装されており、火災検知によって図示しない制動手段が解除されると、シ−ト３の下端に設けた座板７の自重によってシ−ト３が降下して所定部位を区画するようになっている。尚、シャッタ−カ−テンを構成するシ−ト３は耐火性部材、例えばシリカクロス等から構成される。
【００１２】
シ−ト３の下方部位には正面視長方形状の避難用開口部８が形成されており、避難用開口部８には、避難用開口部８を塞ぐようにして長方形状の扉スクリ−ン９が設けてある。扉スクリ−ン９は耐火性で可撓性の部材から形成されており、シ−ト３と同じ部材、例えばシリカクロスから構成されている。扉スクリ−ン９の上端縁９ａおよび側縁９ｂ、９ｃはシ−ト３の開口部８の周縁に重合させると共に、上端縁９ａおよび一方の側縁９ｂは不燃糸によってシ−ト３に縫着されている。扉スクリ−ン９の下端縁９ｄは自由端となっており、座板７には固着されていない。尚、図１（ｃ）から明らかなようにシ−ト３の左右両端には球状の抜け止め部材１０が高さ方向に複数設けてある。抜け止め部材１０はガイドレ−ル溝内を上下動できると共に、ガイドレ−ル６ａ、６ｂの開口部から抜け出ないような径を有している。
【００１３】
図２はシ−ト３に対する扉スクリ−ン９の他の装着手段を示している。このものでは、避難用開口部８は一方のガイドレ−ル６ａに近接して設けてある。扉スクリ−ン９は上端縁９ａにおいてシ−ト３に不燃糸によって縫着されていると共に、扉スクリ−ン９の側部の一端側９ｂはガイドレ−ル６内に臨んでおり、扉スクリ−ン９のガイドレ−ル溝内に位置する部位には球状の抜け止め部材１０が上下方向に複数設けてある。扉スクリ−ン９の他の側縁９ｃはシ−ト３の開口部８の周縁に重合してあり、また、扉スクリ−ン９の下端縁９ｄは自由端となっており、座板７には固着されていない。避難時には壁に沿って移動する場合が多いと考えられ、その点においてガイドレ−ルに近接した部位に避難用開口部を設けることは有用である。尚、図２のものにおいては、扉スクリ−ン９の一側の側部９ｂをシ−ト３に縫着する必要はないが、もっともそうするのは自由である。
【００１４】
図３は扉スクリ−ンの第一の実施の形態を示す概略正面図であって、扉スクリ−ン９は上端部９ａおよび一端側の側部９ｂを介してシ−ト３に縫着されている。扉スクリ−ン９の他の側部９ｃは開口部８の周縁のシ−ト３と重合しており、扉スクリ−ン９の下端部９ｄは自由端となっている。扉スクリ−ン９のおよび扉スクリ−ン９の縫着された側部９ｂ側のシ−ト３にかけて、線状のばね鋼１１ａが扉スクリ−ン９の幅方向に延出して配設してある。ばね鋼１１ａは扉スクリ−ン９の幅全体にわたって延出すると共に、一の端部はガイドレ−ル６ａの溝内にまで延出している。ばね鋼１１ａは例えば縫い込むことで扉スクリ−ン９およびシ−ト３に配設されている。ばね鋼１１ａは上下方向に間隔を存して複数配設してある。避難者が扉スクリ−ン９をめくって開放し、避難用開口部８を通過した後には、ばね鋼１１ａのばね力によって扉スクリ−ン９が避難用開口部８を閉塞する元の位置に自動的に復帰するようになっている。
【００１５】
図４は扉スクリ−ンの第二の実施の形態を示す概略正面図であって、扉スクリ−ン９は上端部および一端側の側部９ｂを介してシ−ト３に縫着されている。扉スクリ−ン９の他の側部９ｃは開口部８の周縁のシ−ト３と重合しており、扉スクリ−ン９の下端部９ｄは自由端となっている。扉スクリ−ン９および扉スクリ−ンの縫着された側部９ｂ側のシ−ト３に亘って、幅方向に延出するポケット１２が縫製されており、薄肉の長尺板状のばね鋼１１ｂをポケット１２に差し込むことで幅方向に延出するように配設してある。ばね鋼１１ｂおよびポケット１２は扉スクリ−ン９の幅全体にわたって延出すると共に、一の端部はガイドレ−ル６ａの溝内にまで延出している。ポケット１２、ばね鋼１１ｂは上下方向に間隔を存して複数配設してある。避難者が扉スクリ−ン９をめくって開放し、避難用開口部８を通過した後には、ばね鋼１１ｂのばね力によって扉スクリ−ン９が避難用開口部８を閉塞する元の位置に自動的に復帰するようになっている。尚、ポケット１２は耐火性の布、例えばシリカクロスから形成され、ポケット１２を縫着する糸には不燃性の糸を用いる。また、板状のばね鋼に代えて、線状のばね材を用いてもよい。
【００１６】
図５は扉スクリ−ンの第三の実施の形態を示す概略正面図であって、このものでは、縦長状の複数のシ−ト３０の側縁同士を互いに重合させて、該重合部を縫着することで幅方向に連結してシ−ト３が形成されており、シ−ト３の下端には座板７が連結されている。一の縦長状のシ−ト３０の下端は座板７に連結せずに自由端としてあり、該シ−ト３０の一方の重合部の下方部位を縫着せずに、隣接するシ−ト３０と単に重合させることで、一の縦長状シ−ト３０の下方部位が扉スクリ−ン９０として機能するようにしてある。シ−ト３において扉スクリ−ン９０が位置する部位が避難用開口部８０となる。
【００１７】
扉スクリ−ン９０には略全体にわたって金網部材１３が張設されており、扉スクリ−ン９０に若干剛性を与えつつも、可撓性を維持するようにしてある。避難者が扉スクリ−ン９０をめくって開放し、開口部８０を通過した後には、扉スクリ−ン９０が自重で避難用開口部８を閉塞する元の位置に復帰するようになっている。扉スクリ−ン９０の縫着していない側縁と重合する隣接するシ−ト３０の側縁にはテ−プ状のファスナ−１４あるいは磁石を設けて重合部を着脱可能連結し、もって閉鎖時の気密性を高めている。
【００１８】
図６は気密性を高める手段について説明する図である。扉スクリ−ン９は上端部９ａおよび一端側の側部９ｂを介してシ−ト３に縫着されており、扉スクリ−ン９の他端側の側部９ｃはシ−ト３と重合しており、かかる部位にはテ−プ状の磁石が設けてある。すなわち、扉スクリ−ン９の他端側の側部９ｃおよびシ−ト３には対向状に棒状のラバ−マグネット１５が設けてあり、両者が着脱自在に磁着するようになっている。さらに、扉スクリ−ン９の下端部９ｄにも棒状のラバ−マグネット１５０を設け、自由端である扉スクリ−ン９の下端部がシ−ト下端に設けた座板７に着脱自在に磁着するようになっている。また、図７（ｄ）は、扉スクリ−ン９を避難用開口部８の前後に設けることで防火・防煙性能を高めたものを示している。
【００１９】
【発明の効果】
以上述べたように、本発明によれば、撓みやすく、ひっかかり易い扉スクリ−ンを避難用開口部に設けるものでありながら、扉スクリ−ンを開放した後には該扉スクリ−ンが自動的に避難用開口部閉塞位置に復帰することができ、避難時の開口部の開閉後に、防火・防煙上不利となる開口や隙間が生ずることを可及的に防止することができる。また、請求項１に記載したものは、ばね材が水平方向に延出するものであり、また請求項２に記載したものでは金網部材が扉スクリ−ンを補強しつつも可撓性を有するので、巻取式のシ−トシャッタ−を採用する場合において、本発明に係る扉スクリ−ンを備えたシ−トを巻き取る際に支障を来すことがない。
【図面の簡単な説明】
【図１】防災用シ−トシャッタ−の全体を示す概略図であって、（ａ）は側断面図、（ｂ）は正面図、（ｃ）は平面図である。
【図２】扉スクリ−ンを装着する他の態様を示す図であり、（ａ）はシ−トの正面図、（ｂ）はシ−トの平面図である。
【図３】（ａ）は扉スクリ−ンの第一の実施の形態を示す概略正面図、（ｂ）はシ−トと扉スクリ−ンの側部を固着した部位を示す部分平面図である。
【図４】（ａ）は扉スクリ−ンの第二の実施の形態を示す概略正面図、（ｂ）はシ−トを側方から見た部分図である。
【図５】扉スクリ−ンの第三の実施の形態を示す概略正面図である。
【図６】気密性を高める手段について説明する図であり、（ａ）はシ−トの正面図、（ｂ）は図６（ａ）におけるａ−ａ線断面図、（ｃ）は図６（ａ）におけるｂ−ｂ線断面図、（ｄ）はシ−トの平面図である。
【符号の説明】
３      シ−ト
８      避難用開口部
９      扉スクリ−ン
１１ａ  線状ばね鋼
１１ｂ  平板長尺状ばね鋼
１３    金網部材
【図１】
0003590922.tif 000002
【図２】
0003590922.tif 000003
【図３】
0003590922.tif 000004
【図４】
0003590922.tif 000005
【図５】
0003590922.tif 000006
【図６】
0003590922.tif 000007